(57)【要約】【課題】  競輪場、競馬場、競艇場等紙屑の散乱が多い場所で使用するのに適した、軽くて効率がよく、掃き取り部の差替えが簡単にでき、柄取付け部が丈夫で回動自在な掃除具を提供すること。【解決手段】  長手方向に２分割された本体Ａと本体Ｂとを、接続パイプＡには接続パイプＤを差込み、コネクターの接続パイプ部に接続パイプＥを差込んだ後、接続パイプＢには接続パイプＥを差込み、接続パイプＣには接続パイプＦを差込んで組付け、本体Ｂの外側より３ヶ所を止めネジで固定し、本体Ａのブレード差込み溝Ａ及び本体Ｂのブレード差込み溝Ｂにより形成された空隙より、掃き取りブレードを差込む。【選択図】  図１
2006316598.tif 000002
【特許請求の範囲】
【請求項１】
長手方向に２分割された本体Ａと本体Ｂとを、接続パイプＡには接続パイプＤを差込み、コネクターの接続パイプ部に接続パイプＥを差込んだ後、接続パイプＢには接続パイプＥを差込み、接続パイプＣには接続パイプＦを差込んで組付け、本体Ｂの外側より３ヶ所を止めネジで固定し、本体Ａのブレード差込み溝Ａ及び本体Ｂのブレード差込み溝Ｂにより形成された空隙より、掃き取りブレードを差込んだ、掃除具。
【請求項２】
コネクターは、一定の角度内で回動自在であることを特徴とする、請求項１に記載の掃除具。
【発明の詳細な説明】
【技術分野】
【０００１】  本発明は、掃除具に関し、特に競輪場、競馬場、競艇場等紙屑の散乱が多い場所で使用するのに適した掃除具に関するものである。
【背景技術】
【０００２】  従来、散乱した紙屑の多い競輪場、競馬場、競艇場等においては、竹ボウキ、シダボウキや合成樹脂製刷毛ボウキ等が使用されていた。また、地面に密着した紙屑や落葉等を掃き取るために提案されたものとしては、刷毛状の穂先に先端がカギ状のピアノ線を入れたものや、先端がカギ状の掃き取り用部材を装着したもの等がある。【０００３】  竹ボウキやシダボウキあるいは合成樹脂製の刷毛ボウキを使用した場合、地面に密着した紙屑を掃き取るにはかなり力を入れて掃かなければならず、疲れて腕や腰への負担が多かった。また、刷毛状の穂先に先端がカギ状のピアノ線を入れたものや、先端がカギ状の掃き取り用部材を装着したホウキでも地面に密着した紙屑を掃き取るにはかなり力を入れて掃き取らねばならず、また、体を傷つけたり人に当って怪我をさせたりするという危険性があった。
そこで、当出願人は、上記の課題を解決するため、下記の文献において提案をした。
【特許文献１】  特開２００３−５５９２６
また、柄取り付け部の角度を調整できるものとして提案されているものとしては、例えば、下記の文献がある。【特許文献２】  特開２００２−１７６４０
【発明の開示】
【発明が解決しようとする課題】
【０００４】  本来、競輪場、競馬場、競艇場等においては、競技中外れ券や紙屑等が散乱しているので、これによって滑って転倒する等の事故を防止するため、レースの合間に素早く掃除することが必要なため、軽くて効率がよく怪我のない環境に配慮した掃除具が待望されていた。
そこで当出願人は、特開２００３−５５９２６において、上記の課題を解決するための提案をしたのであるが、特開２００３−５５９２６においては、掃き取り部に網状の糸心に軟質樹脂やゴム等を付着させたすべり止め材と中心に弾力性のあるゴムや樹脂等の板状のクッション材を束ねて用いたのであるが、種々実験の結果、該掃き取り部材では耐久性の点で問題があることが判明した。
そこでさらに当出願人は、特願２００４−７１６９２において、耐久性があり、軽量で、紙屑等の掃き取りを効率よく行うことができ、掃き取り部の差替え、交換が容易なゴムブレードを用いた掃除具の提案をした。
特願２００４−７１６９２においては、掃き取りブレードは交換が可能な方式としたが、取り付け方法をネジ止めによる固定方法としたために、交換に少し手間がかかる。そこで、本発明においては、交換がワンタッチで行える差込み式とした。
また、柄取り付け部の接続方法は、特開２００３−５５９２６においては、本体部に設けた半円状板に柄をリベットやネジで取り付け、柄を回動自在としたものである。この方法は公知のものであり、広く用いられている。
しかし、掃除具の荷重は柄の取り付け部に集中してかかるため、この方法は耐久性に欠けるという欠点がある。
また、柄と本体部の角度を調整できるものとして提案されているものに、特開２００２−１７６４０がある。
この機構は優れているものといえるが、一定の角度でロックするため、角度を変えたい場合は、いちいちロックを外して調整しなおさなければならず、また、一定の角度でロックされるために掃き取り部の掃き取り面が必ずしも地面に対して水平に当らず、片減りの可能性がある。
本発明においては、耐久性に優れ、清掃者が如何なる角度で掃き取りしてもそれに追随して角度が自由に変わるので、掃き取りブレードの接地面が平均に当り、片減りしにくい掃除具を提供する。
【課題を解決するための手段】
【０００５】  長手方向に２分割された本体Ａと本体Ｂとを、接続パイプＡには接続パイプＤを差込み、コネクターの接続パイプ部に接続パイプＥを差込んだ後、接続パイプＢには接続パイプＥを差込み、接続パイプＣには接続パイプＦを差込んで組付け、本体Ｂの外側より３ヶ所を止めネジで固定する。これにより、コネクターの柄取り付け部は一定の角度内で回動自在となる。
本体Ａのブレード差込み溝Ａ及び本体Ｂのブレード差込み溝Ｂにより形成された空隙より、掃き取りブレードの差込み部を差込む。
【発明の効果】
【０００６】（イ）本発明により、掃き取りブレードの差替えが簡単に行える。
（ロ）掃き取りブレードはゴムブレードなので、紙屑等の掃き取りが力を入れず掃き取れ、長時間の作業でも疲れない。
（ハ）一番力のかかる柄との接続部の耐久性が向上する。また、柄取り付けのコネクターが一定の角度内で回動自在となっているので、清掃者がどんな角度で掃き取りしてもそれに追随した角度になり、掃き取り部の接地面が平均になって片減りしない。
【発明を実施するための最良の形態】
【０００７】  本発明の実施の形態を図１により説明する。
（イ）まず、コネクター（３）の接続パイプ部（３ａ）に、本体Ｂ（２）の接続パイプＥ（２ｂ）を差込む。
（ロ）本体Ａ（１）の接続パイプＡ（１ａ）に本体Ｂ（２）の接続パイプＤ（２ａ）を差込み、以下同様に接続パイプＢ（１ｂ）に接続パイプＥ（２ｂ）を差込み、接続パイプＣ（１ｃ）に接続パイプＦ（２ｃ）を差込んで組付ける。
（ハ）本体Ａ（１）と本体Ｂ（２）とを、本体Ｂ（２）の外側より３ヶ所止めネジ（４）で止め、固定する。
以上により、コネクター（３）は、一定角度内で回動自在となる。この回動最大角度は本体を水平にして柄を垂直に立てた時に片側約３０度、両側で約６０度である。
（ニ）本体Ａ（１）のブレード差込み溝Ａ（１ｄ）及び本体Ｂ（２）のブレード差込み溝Ｂ（２ｄ）により出来た空隙に、掃き取りブレード（５）の差込み部（５ａ）を差込む。【０００８】  掃き取りブレード（５）は、適度な硬さを持った軟質ゴムで形成される。これにより、ゴムの持つ大きな摩擦係数により、紙屑等が力を入れずに簡単に掃き取れる。
しかし、掃き取りブレード（５）の素材はゴムに限られるものではなく、樹脂やその他摩擦係数の大きい軟質素材であれば使用可能である。
掃き取りブレード（５）の上部は本体への差込み部（５ａ）であり、その下部にプロテクト部（５ｂ）がある。これは紙屑の薄い紙片が挟まるのを防止するためである。また、掃き取り部（５ｃ）の下端には掃き取り部切欠（５ｄ）がある。これは段差のあるところを平均に掃き取る効果がある。
ブレード差込み溝は片側差込みであり、反対側はいわゆる嵌め殺しとなっている。しかし、掃き取りブレード（５）自体はどちらからでも差込めるようになっている。
【実施例】
【０００９】  掃き取り部をブレードではなく、刷毛状の掃き取り部とすれば、普通のホウキとしても使用できるので、用途によって差替えることが簡単にできる。
【図面の簡単な説明】
【００１０】
【図１】  本発明の掃除具の分解斜視図
【図２】  掃除具を組付けた状態の正面図
【図３】  掃除具を組付けた状態の左側面図
【符号の説明】
【００１１】１    本体Ａ
１ａ  接続パイプＡ
１ｂ  接続パイプＢ
１ｃ  接続パイプＣ
１ｄ  ブレード差込み溝Ａ
２    本体Ｂ
２ａ  接続パイプＤ
２ｂ  接続パイプＥ
２ｃ  接続パイプＦ
２ｄ  ブレード差込み溝Ｂ
３    コネクター
３ａ  接続パイプ部
３ｂ  柄取り付け部
３ｃ  柄取り付けネジ部
４    止めネジ
５    掃き取りブレード
５ａ  差込み部
５ｂ  プロテクト部
５ｃ  掃き取り部
５ｄ  掃き取り部切欠
６    柄
【図１】
2006316598.tif 000003
【図２】
2006316598.tif 000004
【図３】
2006316598.tif 000005